(57)【特許請求の範囲】
【請求項１】
第１の通信ノードによって実行される方法であって、
第２の通信ノードから前記第１の通信ノードにスケジューリング要求を伝送するための４つのスケジューリング要求（ＳＲ）リソースとして４つのリソースを構成することを含み、
前記４つのリソースのうちの第１のリソースは、いずれのＨＡＲＱ−ＡＣＫメッセージを伝送することなく、前記スケジューリング要求のみを伝送するために選択的に配分され、また、ＨＡＲＱ−ＡＣＫメッセージおよび前記スケジューリング要求の両方を同時に伝送するためにも配分され、
前記ＨＡＲＱ−ＡＣＫメッセージは、２ビット｛ＮＡＣＫ，ＮＡＣＫ｝の否定応答を備え、
前記４つのリソースのうちの他の３つのリソースのそれぞれは、前記スケジューリング要求および２ビットのＨＡＲＱ−ＡＣＫメッセージ｛ＡＣＫ，ＡＣＫ｝、｛ＮＡＣＫ，ＡＣＫ｝、｛ＡＣＫ，ＮＡＣＫ｝のそれぞれ１つの両方が同時に伝送されるときに配分される、方法。
【請求項２】
前記４つのリソースのうちの３つのリソースは、それぞれ、３つの異なるトラフィックタイプに対応する、請求項１に記載の方法。
【請求項３】
前記４つのリソースのうちの３つのリソースは、それぞれ、伝送時間間隔の３つの異なる長さに対応する、請求項１に記載の方法。
【請求項４】
前記４つのリソースは、２つのリソースを備え、前記２つのリソースは、それぞれ、第１のトラフィックタイプのための前記スケジューリング要求および第２のトラフィックタイプのための前記スケジューリング要求を伝送するために配分され、
前記２つのリソースのうちの第１のリソースは、前記第１のトラフィックタイプのための前記スケジューリング要求のみを伝送するために配分され、
前記２つのリソースのうちの前記第１のリソースは、前記第１のトラフィックタイプのための前記スケジューリング要求および個別の否定応答（ＮＡＣＫ）を同時に伝送するためにも配分され、
前記２つのリソースのうちの第２のリソースは、前記第１のトラフィックタイプとは異なる前記第２のトラフィックタイプのための前記スケジューリング要求のみを伝送するために配分され、
前記２つのリソースのうちの前記第２のリソースは、前記第２のトラフィックタイプのための前記スケジューリング要求および個別のＮＡＣＫを同時に伝送するためにも配分される、請求項１に記載の方法。
【請求項５】
前記４つのリソースは、２つのリソースを備え、前記２つのリソースは、それぞれ、第１のトラフィックタイプのための前記スケジューリング要求および第２のトラフィックタイプのための前記スケジューリング要求を伝送するために配分され、
前記２つのリソースのうちの第１のリソースは、前記第１のトラフィックタイプのための前記スケジューリング要求のみを伝送するために配分され、
前記２つのリソースのうちの前記第１のリソースは、前記第１のトラフィックタイプのための前記スケジューリング要求および個別の応答（ＡＣＫ）を同時に伝送するためにも配分され、
前記２つのリソースのうちの第２のリソースは、前記第１のトラフィックタイプとは異なる前記第２のトラフィックタイプのための前記スケジューリング要求のみを伝送するために配分され、
前記２つのリソースのうちの前記第２のリソースは、前記第２のトラフィックタイプのための前記スケジューリング要求および個別のＮＡＣＫを同時に伝送するためにも配分される、請求項１に記載の方法。
【請求項６】
第２の通信ノードによって実行される方法であって、
前記方法は、第１の通信ノードによって４つのＳＲリソースとして構成される４つのリソースのうちの１つを使用して、前記第２の通信ノードから前記第１の通信ノードにスケジューリング要求を伝送することを含み、
前記４つのリソースのうちの第１のリソースは、いずれのＨＡＲＱ−ＡＣＫメッセージを伝送することなく、前記スケジューリング要求のみを伝送するために選択的に配分され、  また、ＨＡＲＱ−ＡＣＫメッセージおよび前記スケジューリング要求の両方を同時に伝送するためにも配分され、
前記ＨＡＲＱ−ＡＣＫメッセージは、２ビット｛ＮＡＣＫ，ＮＡＣＫ｝の否定応答を備え、
前記４つのリソースのうちの他の３つのリソースのそれぞれは、前記スケジューリング要求および２ビットのＨＡＲＱ−ＡＣＫメッセージ｛ＡＣＫ，ＡＣＫ｝、｛ＮＡＣＫ，ＡＣＫ｝、｛ＡＣＫ，ＮＡＣＫ｝のそれぞれ１つの両方が同時に伝送されるときに配分される、方法。
【請求項７】
前記４つのリソースのうちの３つのリソースは、それぞれ、３つの異なるトラフィックタイプに対応する、請求項６に記載の方法。
【請求項８】
前記４つのリソースのうちの３つのリソースは、それぞれ、伝送時間間隔の３つの異なる長さに対応する、請求項６に記載の方法。
【請求項９】
第１の通信ノードであって、
前記第１の通信ノードは、第２の通信ノードから前記第１の通信ノードにスケジューリング要求を伝送するための４つのＳＲリソースとして４つのリソースを構成するために構成されている少なくとも１つのプロセッサを備え、
前記４つのリソースのうちの第１のリソースは、いずれのＨＡＲＱ−ＡＣＫメッセージを伝送することなく、前記スケジューリング要求のみを伝送するために選択的に配分され、  また、ＨＡＲＱ−ＡＣＫメッセージおよび前記スケジューリング要求の両方を同時に伝送するためにも配分され、
前記ＨＡＲＱ−ＡＣＫメッセージは、２ビット｛ＮＡＣＫ，ＮＡＣＫ｝の否定応答を備え、
前記４つのリソースのうちの他の３つのリソースのそれぞれは、前記スケジューリング要求および２ビットのＨＡＲＱ−ＡＣＫメッセージ｛ＡＣＫ，ＡＣＫ｝、｛ＮＡＣＫ，ＡＣＫ｝、｛ＡＣＫ，ＮＡＣＫ｝のそれぞれ１つの両方が同時に伝送されるときに配分される、第１の通信ノード。
【請求項１０】
前記４つのリソースのうちの３つのリソースは、それぞれ、３つの異なるトラフィックタイプに対応する、請求項９に記載の第１の通信ノード。
【請求項１１】
前記４つのリソースのうちの３つのリソースは、それぞれ、伝送時間間隔の３つの異なる長さに対応する、請求項９に記載の第１の通信ノード。
【請求項１２】
第２の通信ノードであって、
前記第２の通信ノードは、第１の通信ノードによって４つのＳＲリソースとして構成される４つのリソースのうちの１つを使用して、前記第１の通信ノードにスケジューリング要求を伝送するために構成されている送受信機を備え、
前記４つのリソースのうちの第１のリソースは、いずれのＨＡＲＱ−ＡＣＫメッセージを伝送することなく、前記スケジューリング要求のみを伝送するために選択的に配分され、  また、ＨＡＲＱ−ＡＣＫメッセージおよび前記スケジューリング要求の両方を同時に伝送するためにも配分され、
前記ＨＡＲＱ−ＡＣＫメッセージは、２ビット｛ＮＡＣＫ，ＮＡＣＫ｝の否定応答を備え、
前記４つのリソースのうちの他の３つのリソースのそれぞれは、前記スケジューリング要求および２ビットのＨＡＲＱ−ＡＣＫメッセージ｛ＡＣＫ，ＡＣＫ｝、｛ＮＡＣＫ，ＡＣＫ｝、｛ＡＣＫ，ＮＡＣＫ｝のそれぞれ１つの両方が同時に伝送されるときに配分される、第２の通信ノード。
【請求項１３】
前記４つのリソースのうちの３つのリソースは、それぞれ、３つの異なるトラフィックタイプに対応する、請求項１２に記載の第２の通信ノード。
【請求項１４】
前記４つのリソースのうちの３つのリソースは、それぞれ、伝送時間間隔の３つの異なる長さに対応する、請求項１２に記載の第２の通信ノード。
【請求項１５】
コンピュータ実行可能な命令が記憶されている非一過性のコンピュータ読み取り可能な記憶媒体であって、前記コンピュータ実行可能な命令は、第１の通信ノードのプロセッサによって実行されると、第２の通信ノードから前記第１の通信ノードにスケジューリング要求を伝送するための４つのＳＲリソースとして４つのリソースを構成することを前記プロセッサに行わせ、
前記４つのリソースのうちの第１のリソースは、いずれのＨＡＲＱ−ＡＣＫメッセージを伝送することなく、前記スケジューリング要求のみを伝送するために選択的に配分され、  また、ＨＡＲＱ−ＡＣＫメッセージおよび前記スケジューリング要求の両方を同時に伝送するためにも配分され、
前記ＨＡＲＱ−ＡＣＫメッセージは、２ビット｛ＮＡＣＫ，ＮＡＣＫ｝の否定応答を備え、
前記４つのリソースのうちの他の３つのリソースのそれぞれは、前記スケジューリング要求および２ビットのＨＡＲＱ−ＡＣＫメッセージ｛ＡＣＫ，ＡＣＫ｝、｛ＮＡＣＫ，ＡＣＫ｝、｛ＡＣＫ，ＮＡＣＫ｝のそれぞれ１つの両方が同時に伝送されるときに配分される、  非一過性のコンピュータ読み取り可能な記憶媒体。
【発明の詳細な説明】
【技術分野】
【０００１】
（技術分野）
本開示は、概して、無線通信に関し、より具体的には、無線通信のためのリソース配分に関する。
【背景技術】
【０００２】
（背景）
第５世代新電波（５Ｇ  ＮＲ）無線通信ネットワークは、提案されている次世代無線通信ネットワークであって、それに関する電気通信規格が、現在開発中である。５Ｇ  ＮＲネットワークは、完全モバイル式かつ接続された社会を可能にするためのエンドツーエンドエコシステムとなるであろう。Ｎｅｘｔ  Ｇｅｎｅｒａｔｉｏｎ  Ｍｏｂｉｌｅ  Ｎｅｔｗｏｒｋ  Ａｌｌｉａｎｃｅは、５Ｇ  ＮＲネットワークが、２０２０年までに、事業および消費者需要を満たすために展開されるであろうと推定している。より高速の速度を提供することに加え、５Ｇ  ＮＲネットワークはまた、モノのインターネット（インターネット接続デバイス）および自然災害時におけるブロードキャスト様サービスおよびライフライン通信等の新しいユースケースを満たす必要があるであろうことが予測される。キャリア、チップメーカー、相手先ブランド製造者（ＯＥＭＳ）、および後工程受託メーカー（ＯＳＡＴ）は、モバイルシステムおよび基地局が、新しいかつより高速のアプリケーションプロセッサ、ベースバンド、およびＲＦデバイスを要求するであろうため、本次世代（５Ｇ）無線規格に備えている。現在の４Ｇ規格に定義されるもの以上の能力を定義する、更新された規格が、検討中であるが、それらの新しい能力は、現在のＩＴＵ−Ｔ  ４Ｇ規格下でグループ化されている。
【０００３】
拡張されたモビリティ帯域幅、より高い信頼性、より少ない伝送遅延、および膨大な数の接続に関するますます増加する需要をサポートするために、ある範囲の遅延要件の制約下、種々のデータ伝送の信頼性を増加させることが望ましい。単純な方法は、各伝送の信頼性を同一レベルまで増加させることである。しかしながら、システムスペクトル効率を維持するために、異なる信頼性要件、すなわち、異なる標的ブロック誤り率（ＢＬＥＲ）が、ハイブリッド自動反復要求（ＨＡＲＱ）プロセスの間、初期データ伝送または再伝送に適用されるべきである。異なる標的レベルに対応するチャネル品質インジケータ（ＣＱＩ）インデックス値の報告が、本目標を満たすために実装され得る。しかしながら、問題は、オーバーヘッドが、高くなり、遅延が、長すぎ得ることである。別の方法は、データ伝送のための異なるレベルの否定応答（ＮＡＣＫ）信号をフィードバックすることによって、異なるレベルの誤りを表すことであって、再伝送は、異なるレベルのＮＡＣＫに対応する異なる信頼性要件を満たすために異なる伝送率を選定し得る。
【０００４】
しかしながら、今日まで、異なるレベルのＮＡＣＫのためのアップリンク信号の伝送のために異なるリソースを配分することに関する研究は、行われていない。加えて、シーケンスリソースに基づく物理アップリンク制御チャネル（ＰＵＣＣＨ）信号に関しても、スケジューリング要求（ＳＲ）を搬送するためにリソースを配分する方法に関する研究は、行われていない。したがって、チャネルリソースを効率的に配分し、５Ｇ  ＮＲ無線通信ネットワークの予期される需要を満たすための方法およびシステムの必要がある。
【発明の概要】
【課題を解決するための手段】
【０００５】
（発明の要約）
本明細書に開示される例示的実施形態は、先行技術に提示される問題のうちの１つ以上のものに関連する問題を解決し、かつ添付の図面と関連して検討されるときに以下の詳細な説明を参照することによって容易に明白になるであろう、付加的特徴を提供することを対象とする。種々の実施形態によると、例示的システム、方法、デバイス、およびコンピュータプログラム製品が、本明細書に開示される。しかしながら、これらの実施形態は、限定ではなく、一例として提示されることが理解され、開示される実施形態に対する種々の修正が、本発明の範囲内に留まったまま行われることができることが、本開示を熟読する当業者に明白となるであろう。
【０００６】
本発明の実施形態によると、ハイブリッド自動反復要求（ＨＡＲＱ）プロセスにおいて、基地局は、ユーザ機器（ＵＥ）がＡＣＫ確認応答を伝送するための１つのリソースと、ＵＥが個別のレベルのＮＡＣＫ確認応答を伝送するための２つ以上のリソースとを配分する。いくつかの実施形態では、ＮＡＣＫおよびＡＣＫ確認応答を伝送するために配分される、それらのリソースはまた、同時に、ＵＥによってアップリンクデータ伝送のためのリソース配分を要求するために使用される、スケジューリング要求（ＳＲ）を伝送するために使用される。ＨＡＲＱプロセスにおいて使用されるように、ＡＣＫ確認応答は、伝送成功を示し、ＮＡＣＫ確認応答は、伝送不成功を示す。加えて、本開示のいくつかの実施形態において使用されるような個別のレベルのＮＡＣＫ確認応答はまた、伝送不成功と関連付けられた個別のレベルのチャネル品質を表す。いくつかの実施形態では、個別のレベルのチャネル品質は、個別の伝送誤り率を表す。別の実施形態では、個別のレベルのチャネル品質は、チャネル品質インジケータに対する個別のオフセットによって表される。
【０００７】
一実施形態では、第１の通信ノードによって実施される方法は、スケジューリング要求を伝送するためのＮ個のリソースを第２の通信ノードから第１の通信ノードに配分するステップを含み、少なくとも１つのリソースは、スケジューリング要求を伝送するためだけではなく、また、ＨＡＲＱ−ＡＣＫメッセージおよびスケジューリング要求を同時に伝送するためにも配分され、Ｎは、正の整数である。
【０００８】
別の実施形態では、第２の通信ノードによって実施される方法は、第１の通信ノードによって配分されるＮ個のリソースのうちの１つを使用して、スケジューリング要求を第２の通信ノードから第１の通信ノードに伝送するステップを含み、少なくとも１つのリソースは、スケジューリング要求を伝送するためだけではなく、また、ＨＡＲＱ−ＡＣＫメッセージおよびスケジューリング要求を同時に伝送するためにも配分され、Ｎは、正の整数である。
【０００９】
さらなる実施形態では、第１の通信ノードは、スケジューリング要求を伝送するためのＮ個のリソースを第２の通信ノードから第１の通信ノードに配分するために構成される、少なくとも１つのプロセッサを含み、少なくとも１つのリソースは、スケジューリング要求を伝送するためだけではなく、また、ＨＡＲＱ−ＡＣＫメッセージおよびスケジューリング要求を同時に伝送するためにも配分され、Ｎは、正の整数である。
【００１０】
さらに別の実施形態では、第２の通信ノードは、第１の通信ノードによって配分されるＮ個のリソースのうちの１つを使用して、スケジューリング要求を第１の通信ノードに伝送するために構成される、送受信機を含み、少なくとも１つのリソースは、スケジューリング要求を伝送するためだけではなく、また、ＨＡＲＱ−ＡＣＫメッセージおよびスケジューリング要求を同時に伝送するためにも配分され、Ｎは、正の整数である。
本願明細書は、例えば、以下の項目も提供する。
（項目１）
第１の通信ノードによって実施される方法であって、
スケジューリング要求を伝送するためのＮ個のリソースを第２の通信ノードから前記第１の通信ノードに配分することであって、少なくとも１つのリソースは、前記スケジューリング要求を伝送するためだけではなく、また、ＨＡＲＱ−ＡＣＫメッセージおよび前記スケジューリング要求を同時に伝送するためにも配分され、Ｎは、正の整数である、こと
を含む、方法。
（項目２）
前記ＨＡＲＱ−ＡＣＫメッセージは、否定応答（ＮＡＣＫ）を備え、前記少なくとも１つのリソースは、前記スケジューリング要求を伝送するためだけではなく、また、前記ＮＡＣＫおよび前記スケジューリング要求を同時に伝送するためにも配分される、項目１に記載の方法。
（項目３）
前記少なくとも１つのリソースは、それぞれ、前記スケジューリング要求および肯定応答（ＡＣＫ）を伝送するために配分される２つのリソースを備え、前記２つのリソースは、前記ＡＣＫおよび前記スケジューリング要求を同時に伝送することを表すために、同時に使用される、項目２に記載の方法。
（項目４）
前記少なくとも１つのリソースは、それぞれ、第１および第２のトラフィックタイプのためのスケジューリング要求を伝送するために配分される２つのリソースを備え、前記第１のトラフィックタイプのためのスケジューリング要求を伝送するためだけに配分される前記２つのリソースのうちの第１のものは、前記第１のトラフィックタイプのためのスケジューリング要求および個別の否定応答（ＮＡＣＫ）を同時に伝送するために使用される同一リソースであり、前記第２のトラフィックタイプのためのスケジューリング要求を伝送するためだけに配分される前記２つのリソースのうちの第２のものは、前記第２のトラフィックタイプのためのスケジューリング要求および個別のＮＡＣＫを同時に伝送するために使用される同一リソースである、項目２に記載の方法。
（項目５）
前記ＨＡＲＱ−ＡＣＫメッセージは、肯定応答（ＡＣＫ）を備え、前記少なくとも１つのリソースは、前記スケジューリング要求を伝送するためだけではなく、また、前記ＡＣＫおよび前記スケジューリング要求を同時に伝送するためにも配分される、項目１に記載の方法。
（項目６）
第２の通信ノードによって実施される方法であって、
第１の通信ノードによって配分されるＮ個のリソースのうちの１つを使用して、スケジューリング要求を前記第２の通信ノードから前記第１の通信ノードに伝送することであって、少なくとも１つのリソースは、前記スケジューリング要求を伝送するためだけではなく、また、ＨＡＲＱ−ＡＣＫメッセージおよび前記スケジューリング要求を同時に伝送するためにも配分され、Ｎは、正の整数である、こと
を含む、方法。
（項目７）
前記ＨＡＲＱ−ＡＣＫメッセージは、否定応答（ＮＡＣＫ）を備え、前記少なくとも１つのリソースは、前記スケジューリング要求を伝送するためだけではなく、また、前記ＮＡＣＫおよび前記スケジューリング要求を同時に伝送するためにも配分される、項目６に記載の方法。
（項目８）
前記少なくとも１つのリソースは、それぞれ、前記スケジューリング要求および肯定応答（ＡＣＫ）を伝送するために配分される２つのリソースを備え、前記２つのリソースは、前記ＡＣＫおよび前記スケジューリング要求を同時に伝送することを表すために、同時に使用される、項目７に記載の方法。
（項目９）
前記少なくとも１つのリソースは、それぞれ、第１および第２のトラフィックタイプのためのスケジューリング要求を伝送するために配分される２つのリソースを備え、前記第１のトラフィックタイプのためのスケジューリング要求を伝送するためだけに配分される前記２つのリソースのうちの第１のものは、前記第１のトラフィックタイプのためのスケジューリング要求および個別の否定応答（ＮＡＣＫ）を同時に伝送するために使用される同一リソースであり、前記第２のトラフィックタイプのためのスケジューリング要求を伝送するためだけに配分される前記２つのリソースのうちの第２のものは、前記第２のトラフィックタイプのためのスケジューリング要求および個別のＮＡＣＫを同時に伝送するために使用される同一リソースである、項目７に記載の方法。
（項目１０）
前記ＨＡＲＱ−ＡＣＫメッセージは、肯定応答（ＡＣＫ）を備え、前記少なくとも１つのリソースは、前記スケジューリング要求を伝送するためだけではなく、また、前記ＡＣＫおよび前記スケジューリング要求を同時に伝送するためにも配分される、項目６に記載の方法。
（項目１１）
第１の通信ノードであって、
スケジューリング要求を伝送するためのＮ個のリソースを第２の通信ノードから前記第１の通信ノードに配分するために構成される少なくとも１つのプロセッサであって、少なくとも１つのリソースは、前記スケジューリング要求を伝送するためだけではなく、また、ＨＡＲＱ−ＡＣＫメッセージおよび前記スケジューリング要求を同時に伝送するためにも配分され、Ｎは、正の整数である、少なくとも１つのプロセッサ
を備える、第１の通信ノード。
（項目１２）
前記ＨＡＲＱ−ＡＣＫメッセージは、否定応答（ＮＡＣＫ）を備え、前記少なくとも１つのリソースは、前記スケジューリング要求を伝送するためだけではなく、また、前記ＮＡＣＫおよび前記スケジューリング要求を同時に伝送するためにも配分される、項目１１に記載の第１の通信ノード。
（項目１３）
前記少なくとも１つのリソースは、それぞれ、前記スケジューリング要求および肯定応答（ＡＣＫ）を伝送するために配分される２つのリソースを備え、前記２つのリソースは、前記ＡＣＫおよび前記スケジューリング要求を同時に伝送することを表すために、同時に使用される、項目１２に記載の第１の通信ノード。
（項目１４）
前記少なくとも１つのリソースは、それぞれ、第１および第２のトラフィックタイプのためのスケジューリング要求を伝送するために配分される２つのリソースを備え、前記第１のトラフィックタイプのためのスケジューリング要求を伝送するためだけに配分される前記２つのリソースのうちの第１のものは、前記第１のトラフィックタイプのためのスケジューリング要求および個別の否定応答（ＮＡＣＫ）を同時に伝送するために使用される同一リソースであり、前記第２のトラフィックタイプのためのスケジューリング要求を伝送するためだけに配分される前記２つのリソースのうちの第２のものは、前記第２のトラフィックタイプのためのスケジューリング要求および個別のＮＡＣＫを同時に伝送するために使用される同一リソースである、項目１２に記載の第１の通信ノード。
（項目１５）
前記ＨＡＲＱ−ＡＣＫメッセージは、肯定応答（ＡＣＫ）を備え、前記少なくとも１つのリソースは、前記スケジューリング要求を伝送するためだけではなく、また、前記ＡＣＫおよび前記スケジューリング要求を同時に伝送するためにも配分される、項目１１に記載の第１の通信ノード。
（項目１６）
第２の通信ノードであって、
第１の通信ノードによって配分されるＮ個のリソースのうちの１つを使用して前記第１の通信ノードのためのスケジューリング要求を伝送するために構成される送受信機であって、少なくとも１つのリソースは、前記スケジューリング要求を伝送するためだけではなく、また、ＨＡＲＱ−ＡＣＫメッセージおよび前記スケジューリング要求を同時に伝送するためにも配分され、Ｎは、正の整数である、送受信機
を備える、第２の通信ノード。
（項目１７）
前記ＨＡＲＱ−ＡＣＫメッセージは、否定応答（ＮＡＣＫ）を備え、前記少なくとも１つのリソースは、前記スケジューリング要求を伝送するためだけではなく、また、前記ＮＡＣＫおよび前記スケジューリング要求を同時に伝送するためにも配分される、項目１６に記載の第２の通信ノード。
（項目１８）
前記少なくとも１つのリソースは、それぞれ、前記スケジューリング要求および肯定応答（ＡＣＫ）を伝送するために配分される２つのリソースを備え、前記２つのリソースは、前記ＡＣＫおよび前記スケジューリング要求を同時に伝送することを表すために、同時に使用される、項目１７に記載の第２の通信ノード。
（項目１９）
前記少なくとも１つのリソースは、それぞれ、第１および第２のトラフィックタイプのためのスケジューリング要求を伝送するために配分される２つのリソースを備え、前記第１のトラフィックタイプのためのスケジューリング要求を伝送するためだけに配分される前記２つのリソースのうちの第１のものは、前記第１のトラフィックタイプのためのスケジューリング要求および個別の否定応答（ＮＡＣＫ）を同時に伝送するために使用される同一リソースであり、前記第２のトラフィックタイプのためのスケジューリング要求を伝送するためだけに配分される前記２つのリソースのうちの第２のものは、前記第２のトラフィックタイプのためのスケジューリング要求および個別のＮＡＣＫを同時に伝送するために使用される同一リソースである、項目１７に記載の第２の通信ノード。
（項目２０）
前記ＨＡＲＱ−ＡＣＫメッセージは、肯定応答（ＡＣＫ）を備え、前記少なくとも１つのリソースは、前記スケジューリング要求を伝送するためだけではなく、また、前記ＡＣＫおよび前記スケジューリング要求を同時に伝送するためにも配分される、項目１６に記載の第２の通信ノード。
【００１１】
本発明の種々の例示的実施形態は、以下の図を参照して下記に詳細に説明される。図面は、例証目的のためだけに提供され、単に、本発明の読者の理解を促進するための本発明の例示的実施形態を描写する。したがって、図面は、本発明の範疇、範囲、または可用性の限定と見なされるべきではない。明確にするため、かつ例証の容易性のため、これらの図面は、必ずしも、正確な縮尺で描かれていないことに留意されたい。
【図面の簡単な説明】
【００１２】
【図１】図１は、本開示のある実施形態による、本明細書に開示される技法が実装され得る、例示的セルラー通信ネットワークを図示する。
【００１３】
【図２】図２は、本発明のいくつかの実施形態による、例示的基地局およびユーザ機器デバイスのブロック図を図示する。
【００１４】
【図３】図３Ａおよび３Ｂは、いくつかの実施形態による、マルチレベルＮＡＣＫに基づく、再伝送の例示的シナリオを図示する。
【００１５】
【図４】図４Ａおよび４Ｂは、さらなる実施形態による、マルチレベルＮＡＣＫに基づく、再伝送の例示的シナリオを図示する。
【発明を実施するための形態】
【００１６】
（例示的実施形態の詳細な説明）
本発明の種々の例示的実施形態は、当業者が本発明を作製および使用することを可能にするために、付随の図を参照して下記に説明される。当業者に明白となるであろうように、本開示を熟読後、本明細書に説明される実施例の種々の変更または修正が、本発明の範囲から逸脱することなく、行われることができる。したがって、本発明は、本明細書に説明および図示される例示的実施形態および用途に限定されない。加えて、本明細書に開示される方法におけるステップの具体的順序または階層は、単に、例示的アプローチである。設計選好に基づいて、開示される方法またはプロセスのステップの具体的順序または階層は、本発明の範囲内に留まったまま、並べ替えられることができる。したがって、当業者は、本明細書に開示される方法および技法が、種々のステップまたは行為をサンプル順序において提示し、本発明が、明示的にそうではないことが述べられない限り、提示される具体的順序または階層に限定されないことを理解するであろう。
【００１７】
図１は、本開示の種々の実施形態による、本明細書に開示される技法が実装され得る、例示的無線通信ネットワーク１００を図示する。例示的通信ネットワーク１００は、基地局（ＢＳ）１０２と、通信リンク１１０（例えば、無線通信チャネル）を介して相互に通信し得る、ユーザ機器（ＵＥ）デバイス１０４と、地理的エリア１０１にオーバーレイする、概念セル１２６、１３０、１３２、１３４、１３６、１３８、および１４０のクラスタとを含む。図１では、ＢＳ１０２およびＵＥ１０４は、セル１２６の地理的境界内に含有される。他のセル１３０、１３２、１３４、１３６、１３８、および１４０はそれぞれ、その配分された帯域幅で動作し、適正な電波カバレッジをその意図されるユーザに提供する、少なくとも１つの基地局を含んでもよい。例えば、基地局１０２は、配分されたチャネル伝送帯域幅で動作し、適正なカバレッジをＵＥ１０４に提供し得る。基地局１０２およびＵＥ１０４は、それぞれ、ダウンリンク電波フレーム１１８およびアップリンク電波フレーム１２４を介して、通信してもよい。各電波フレーム１１８／１２４は、サブフレーム１２０／１２６にさらに分割されてもよく、これは、データシンボル１２２／１２８を含んでもよい。本開示では、基地局（ＢＳ）１０２およびユーザ機器（ＵＥ）１０４は、概して、本明細書に開示される方法を実践し得る、「通信デバイス」の非限定的実施例として本明細書に説明される。そのような通信デバイスは、本発明の種々の実施形態によると、無線および／または有線通信することが可能であり得る。
【００１８】
図２は、本発明のいくつかの実施形態による、無線通信信号、例えば、ＯＦＤＭ／ＯＦＤＭＡ信号を伝送および受信する、例示的無線通信システム２００のブロック図を図示する。システム２００は、本明細書に詳細に説明される必要はない、既知または従来の動作特徴をサポートするように構成される、コンポーネントおよび要素を含んでもよい。一例示的実施形態では、システム２００は、上記に説明されるように、図１の無線通信環境１００等の無線通信環境内でデータシンボルを伝送および受信するために使用されることができる。
【００１９】
システム２００は、概して、基地局２０２と、ＵＥ２０４とを含む。基地局２０２は、ＢＳ送受信機モジュール２１０と、ＢＳアンテナ２１２と、ＢＳプロセッサモジュール２１４と、ＢＳメモリモジュール２１６と、ネットワーク通信モジュール２１８とを含み、各モジュールは、必要に応じて、データ通信バス２２０を介して、相互に結合および相互接続される。ＵＥ２０４は、ＵＥ送受信機モジュール２３０と、ＵＥアンテナ２３２と、ＵＥメモリモジュール２３４と、ＵＥプロセッサモジュール２３６とを含み、各モジュールは、必要に応じて、データ通信バス２４０を介して、相互に結合および相互接続される。ＢＳ２０２は、任意の無線チャネルまたは本明細書に説明されるようなデータの伝送のために好適な当技術分野において公知の他の媒体であり得る、通信チャネル２５０を介して、ＵＥ２０４と通信する。
【００２０】
当業者によって理解されるであろうように、システム２００はさらに、図２に示されるモジュール以外の任意の数のモジュールを含んでもよい。当業者は、本明細書に開示される実施形態に関連して説明される、種々の例証的ブロック、モジュール、回路、および処理論理が、ハードウェア、コンピュータ可読ソフトウェア、ファームウェア、または任意の実践的なそれらの組み合わせにおいて実装されてもよいことを理解するであろう。ハードウェア、ファームウェア、およびソフトウェアの本可換性および互換性を明確に例証するために、種々の例証的コンポーネント、ブロック、モジュール、回路、およびステップが、概して、その機能性の観点から説明される。そのような機能性が、ハードウェア、ファームウェア、またはソフトウェアとして実装されるかどうかは、特定の用途および全体的システム上に課される設計制約に依存する。本明細書に説明される概念に精通する者は、そのような機能性を各特定の用途に対して好適な様式で実装してもよいが、そのような実装決定は、本発明の範囲を限定するものとして解釈されるべきではない。
【００２１】
いくつかの実施形態によると、ＵＥ送受信機２３０は、本明細書では、それぞれがアンテナ２３２に結合されるＲＦ伝送機および受信機回路を含む、「アップリンク」送受信機２３０と称され得る。デュプレックススイッチ（図示せず）が、代替として、時間デュプレックス方式において、アップリンク伝送機または受信機をアップリンクアンテナに結合してもよい。同様に、いくつかの実施形態によると、ＢＳ送受信機２１０は、本明細書では、それぞれがアンテナ２１２に結合されるＲＦ伝送機および受信機回路を含む、「ダウンリンク」送受信機２１０と称され得る。ダウンリンクデュプレックススイッチ（図示せず）は、代替として、時間デュプレックス方式において、ダウンリンク伝送機または受信機をダウンリンクアンテナ２１２に結合してもよい。２つの送受信機２１０および２３０の動作は、アップリンク受信機が、無線伝送リンク２５０を経由した伝送の受信のために、アップリンクアンテナ２３２に結合されるのと同時に、ダウンリンク伝送機が、ダウンリンクアンテナ２１２に結合されるように、時間的に協調される。好ましくは、最小限の保護時間のみをデュプレックス方向の変化間に伴って、近接時間同期が存在する。
【００２２】
ＵＥ送受信機２３０および基地局送受信機２１０は、無線データ通信リンク２５０を介して通信し、特定の無線通信プロトコルおよび変調スキームをサポートし得る、好適に構成されたＲＦアンテナ配列２１２／２３２と協働するように構成される。いくつかの例示的実施形態では、ＵＥ送受信機６０８および基地局送受信機６０２は、ロングタームエボリューション（ＬＴＥ）および新しい５Ｇ規格および同等物等の産業規格をサポートするように構成される。しかしながら、本発明は、必ずしも、特定の規格および関連付けられたプロトコルに用途が限定されないことを理解されたい。むしろ、ＵＥ送受信機２３０および基地局送受信機２１０は、将来的規格またはその変形例を含む、代替または付加的無線データ通信プロトコルをサポートするように構成されてもよい。
【００２３】
種々の実施形態によると、ＢＳ２０２は、例えば、進化型ノードＢ（ｅＮＢ）、サービングｅＮＢ、標的ｅＮＢ、フェムトステーション、またはピコステーションであってもよい。いくつかの実施形態では、ＵＥ２０４は、携帯電話、スマートフォン、携帯情報端末（ＰＤＡ）、タブレット、ラップトップコンピュータ、ウェアラブルコンピューティングデバイス等の種々のタイプのユーザデバイスにおいて具現化されてもよい。プロセッサモジュール２１４および２３６は、本明細書に説明される機能を実施するように設計される、汎用プロセッサ、コンテンツアドレス指定可能メモリ、デジタル信号プロセッサ、特定用途向け集積回路、フィールドプログラマブルゲートアレイ、任意の好適なプログラマブル論理デバイス、離散ゲートまたはトランジスタ論理、離散ハードウェアコンポーネント、または任意のそれらの組み合わせとともに実装または実現されてもよい。このように、プロセッサは、マイクロプロセッサ、コントローラ、マイクロコントローラ、状態機械、または同等物として実現され得る。プロセッサはまた、コンピューティングデバイスの組み合わせ、例えば、デジタル信号プロセッサおよびマイクロプロセッサ、複数のマイクロプロセッサ、デジタル信号プロセッサコアと併せた１つ以上のマイクロプロセッサ、または任意の他のそのような構成の組み合わせとして実装されてもよい。
【００２４】
さらに、本明細書に開示される実施形態に関連して説明される方法またはアルゴリズムのステップは、直接、それぞれ、プロセッサモジュール２１４および２３６によって実行される、ハードウェア、ファームウェア、ソフトウェアモジュールにおいて、または、任意の実践的なそれらの組み合わせにおいて具現化されてもよい。メモリモジュール２１６および２３４は、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野において公知の任意の他の形態の記憶媒体として実現され得る。この点において、メモリモジュール２１６および２３４は、それぞれ、プロセッサモジュール２１０および２３０が、それぞれ、メモリモジュール２１６および２３４から情報を読み取り、そこに情報を書き込み得るように、プロセッサモジュール２１０および２３０に結合されてもよい。メモリモジュール２１６および２３４はまた、それらの個別のプロセッサモジュール２１０および２３０の中に統合されてもよい。いくつかの実施形態では、メモリモジュール２１６および２３４のそれぞれは、それぞれ、プロセッサモジュール２１０および２３０によって実行されるための命令の実行の間、一時的変数または他の中間情報を記憶するために、キャッシュメモリを含んでもよい。メモリモジュール２１６および２３４はまたそれぞれ、それぞれ、プロセッサモジュール２１０および２３０によって実行されるための命令を記憶するために、不揮発性メモリを含んでもよい。
【００２５】
ネットワーク通信モジュール２１８は、概して、基地局送受信機６０２と、基地局２０２と通信するように構成される他のネットワークコンポーネントおよび通信デバイスとの間の双方向通信を可能にする、基地局２０２のハードウェア、ソフトウェア、ファームウェア、処理論理、および／または他のコンポーネントを表す。例えば、ネットワーク通信モジュール２１８は、インターネットまたはＷｉＭＡＸトラフィックをサポートするように構成されてもよい。典型的展開では、限定ではないが、ネットワーク通信モジュール２１８は、基地局送受信機２１０が、従来のＥｔｈｅｒｎｅｔ（登録商標）ベースのコンピュータネットワークと通信し得るように、８０２．３Ｅｔｈｅｒｎｅｔ（登録商標）インターフェースを提供する。このように、ネットワーク通信モジュール２１８は、コンピュータネットワーク（例えば、移動交換局（ＭＳＣ））への接続のための物理的インターフェースを含んでもよい。規定された動作または機能に関して本明細書で使用されるような用語「〜のために構成される（ｃｏｎｆｉｇｕｒｅｄ  ｆｏｒ）」、「〜ように構成される（ｃｏｎｆｉｇｕｒｅｄ  ｔｏ）」、およびその活用形は、規定された動作または機能を実施するように物理的に構成される、プログラムされる、フォーマット化される、および／または配列される、デバイス、コンポーネント、回路、構造、機械、信号等を指す。
【００２６】
再び図１を参照すると、上記に議論されるように、ＢＳ１０２が、データを伝送し、ＵＥ１０４から受信する準備ができると、チャネル推定プロセスが、典型的には、ＢＳが、実際に、データを伝送し、ＵＥ１０４から受信する前に、実施される。そのようなチャネル推定プロセスの間、１つ以上の参照信号が、典型的には、１つ以上の物理的チャネルを介して、ＢＳ１０２からＵＥ１０４に伝送される。
【００２７】
いくつかの実施形態によると、ＢＳ１０２は、ＵＥ１０４を複数のレベルのＮＡＣＫをサポートするＰＵＣＣＨリソースを用いて構成してもよく、全てのレベルのマルチレベルＮＡＣＫの数は、Ｎと等しく、Ｎは、１より大きい整数である。例えば、Ｎ＝３であって、マルチレベルＮＡＣＫは、３つのレベル、すなわち、ＮＡＣＫ１、ＮＡＣＫ２、およびＮＡＣＫ３を有する。以下の説明は、Ｎ＝３である実施例に関するが、本発明は、そのように限定されない。
【００２８】
種々の実施形態によると、各異なるＮＡＣＫレベルは、以下、すなわち、ＣＱＩオフセット値、ＣＱＩインデックス値、標的ＢＬＥＲレベル、レートオフセット値、レート値、信号対干渉＋雑音比（ＳＩＮＲ）レベル、およびＳＩＮＲオフセット値のうちの少なくとも１つと関連付けられることができる。例えば、各異なるＮＡＣＫレベルが、所定のＣＱＩオフセット値と関連付けられる場合、ＵＥ１０４は、検出されたＳＩＮＲ値と必要または所望のレート、例えば、ＮＡＣＫ１に対応するＣＱＩインデックスと関連付けられたレートを相関させてもよい。ＵＥはまた、特定の用途または通信セッションの遅延要件に従って、ＣＱＩオフセットを算出してもよい。Ｎ＝３の実施例に関して、［０，−３，−６］のＣＱＩオフセットは、それぞれ、無オフセット、中程度のオフセット、および最大オフセットを表し得る。実際のＣＱＩは、ＵＥによって報告されるＣＱＩ＋種々のＮＡＣＫレベルに対応するＣＱＩオフセットである。
【００２９】
いくつかの実施形態によると、ＮＡＣＫレベルは、少なくとも部分的に、所定の数の再伝送試行から残りの再伝送機会の数に基づいて、決定されてもよい。例えば、残り１つのみの再伝送機会が存在する場合、最大オフセットを伴う最低標的ＢＬＥＲに対応するＣＱＩインデックスが、使用される。その場合、ＵＥ１０４は、ＢＳ１０２によって識別されるようなＮＡＣＫ３に対応するアップリンクリソース上でＮＡＣＫ３を伝送するであろう。残り２つの再伝送機会が存在する場合、中程度のオフセットを伴う中程度の標的ＢＬＥＲに対応するＣＱＩが、使用される。その場合、ＵＥは、ＢＳ１０２によって識別されるようなＮＡＣＫ２に対応するアップリンクリソース上でＮＡＣＫ２を伝送するであろう。例えば、ＵＥ１０４によって報告される直近のＣＱＩインデックスが、１２であって、ＮＡＣＫレベルが、ＮＡＣＫ２レベルである場合、ＣＱＩインデックスは、１２−３＝９に更新され、これは、ＮＡＣＫ１  ＭＣＳおよびＢＬＥＲと比較して、再伝送のためのより低いＢＬＥＲに対応する、再伝送のためのより低いデータレートを有する、変調および符号化スキーム（ＭＣＳ）に対応する。別の実施例として、ＵＥ１０４によって報告される直近のＣＱＩインデックスが、１２であって、ＮＡＣＫレベルが、ＮＡＣＫ３レベルである場合、ＣＱＩインデックスは、１２−６＝６に更新され、これは、ＮＡＣＫ２  ＭＣＳおよびＢＬＥＲと比較して、再伝送のためのさらにより低いＢＬＥＲに対応する、再伝送のためのさらにより低いデータレートを有する、変調および符号化スキーム（ＭＣＳ）に対応する。
【００３０】
いくつかの実施形態では、マルチレベルＮＡＣＫのためのリソースは、異なるシーケンスリソースによって決定される。ＢＳ１０２は、ＵＥ１０４に、ＡＣＫリソースを表すための１つのシーケンスと、Ｎ個の異なるレベルのＮＡＣＫを伝送するためのＮ個の異なるＮＡＣＫリソースを提供するためのＮ個のシーケンスとを配分し得る。Ｎ＝３に関して、ＵＥ１０４は、ＡＣＫ、ＮＡＣＫ１、ＮＡＣＫ２、およびＮＡＣＫ３信号を伝送するために、合計３＋１＝４個のシーケンスリソースを配分される。
【００３１】
コンピュータによって生成されたシーケンス（すなわち、コンピュータ生成シーケンス（ＣＧＳ））の実施例に関して、いくつかの実施形態によると、ベースシーケンスは、
【化１】
0006968263.tif 000002
であり得、式中、
【化２】
0006968263.tif 000003
であって、シーケンスの長さは、１２（すなわち、Ｍ＝１２）である。
【化３】
0006968263.tif 000004
は、セット［１，−１，３，−３］からの要素である。ＡＣＫ、ＮＡＣＫ１、ＮＡＣＫ２、およびＮＡＣＫ３シーケンスは、以下の方程式、すなわち、
【化４】
0006968263.tif 000005
に従って、αによるベースシーケンスの異なる巡回シフトによって取得され得る。シーケンスは、ＣＧＳに限定されず、また、例えば、Ｚａｄｏｆｆ−Ｃｈｕ（ＺＣ）シーケンスまたは他のシーケンスであってもよい。さらに、シーケンスの長さは、１２に限定されず、２４または３６等の他の値であってもよい。
【００３２】
あるシーケンスに基づくＰＵＣＣＨに関して、いくつかの実施形態では、４つのＰＵＣＣＨシーケンスリソースが、ＰＵＣＣＨリソースを配分するとき、同一時間ドメイン内に配分される。同一時間ドメインは、例えば、同一スロット、同一ミニスロット、同一シンボル、またはシンボルの同一グループであってもよい。
【００３３】
いくつかの実施形態では、４つのシーケンスリソースは、同一周波数ドメインリソース内にあってもよい。他の実施形態では、４つのシーケンスリソースは、異なる周波数ドメインリソース内にあってもよい。異なる周波数ドメインリソース内に配分されるとき、リソースは、異なるＨＡＲＱ−ＡＣＫステータスを表し、下記にさらに詳細に説明されるように、均一または非均一に配分されてもよい。
【００３４】
一実施形態では、リソースは、シーケンスリソースを第１の物理リソースブロック（ＰＲＢ）内に配分することによって、同一周波数ドメインリソース内に配分される。いくつかの実施形態では、リソースは、同一ベースシーケンスを４つの異なるユニットによって巡回シフトさせ、ＡＣＫ、ＮＡＣＫ１、ＮＡＣＫ２、およびＮＡＣＫ３伝送のためのシーケンスリソースを提供することによって導出される、シーケンスリソースであってもよい。
【００３５】
別の実施形態では、リソースは、異なる周波数ドメインリソース内に配分され、均一に配分される。例えば、２つのリソース（例えば、２つのシーケンスリソース）が、ベースシーケンスを２つの異なる巡回シフトによって巡回シフトさせ、ＡＣＫおよびＮＡＣＫ１を表すことによって生成され、第１のＰＲＢに配分される。２つ以上のリソース（例えば、２つのシーケンスリソース）が、ベースシーケンスを２つの異なる巡回シフトによって巡回シフトさせ、ＮＡＣＫ２およびＮＡＣＫ３を表すことによって生成され、第２のＰＲＢに配分される。種々の実施形態によると、異なるＰＲＢ内に配分されるシーケンスリソースの個別のものは、相互に同じ、完全に異なる、または部分的に同一である（すなわち、全てではないが、いくつかが合致するシーケンス値を有する）ことができる。
【００３６】
図３Ａは、いくつかの実施形態による、第１の伝送時間インターバル（ＴＴＩ）３０３の間の、物理ダウンリンク共有チャネル（ＰＤＳＣＨ）リソース３０１における、ＢＳ１０２によってＵＥ１０４に伝送される信号の初期伝送の実施例を図示する。初期伝送がＵＤ１０４によって正常に受信されたかどうかに応じて、ＵＥ１０４は、いくつかの実施形態によると、４つの可能性として考えられるＨＡＲＱ−ＡＣＫメッセージ、例えば、ＡＣＫ、ＮＡＣＫ１、ＮＡＣＫ２、およびＮＡＣＫ３のうちの１つを返信し、各メッセージは、ＨＡＲＱ−ＡＣＫメッセージの伝送のための異なるリソースに配分される。初期伝送を受信後、ＵＥ１０４は、第２のＴＴＩ３０７の間、ＮＡＣＫ１のために配分されるリソース３０５（例えば、ＯＦＤＭシンボル（ＯＳ）３０５内のＰＲＢ＃ｎ１）を使用して、確認応答情報（例えば、ＨＡＲＱ−ＡＣＫメッセージ）を伝送し、この場合、ＣＱＩインデックスオフセット値は、ＮＡＣＫ１レベルに対応する。次に、ＯＳ３０５内で伝送されるＣＱＩインデックスオフセット値に応答して、ＢＳ１０２は、第３のＴＴＩ３１１の間、同一信号をＰＤＳＣＨリソース３０９内で再伝送するであろう。実施形態における初期伝送およびそのＨＡＲＱ−ＡＣＫフィードバックのためのタイミングは、１ＴＴＩであって、これは、単に、実施例であることに留意されたい。他の実施形態では、タイミングは、他の値であることができる。これはまた、ＨＡＲＱ−ＡＣＫメッセージおよび再伝送のためのタイミングに対しても当てはまる。
【００３７】
図３Ａに示されるように、上記の伝送はそれぞれ、例えば、物理リソースブロック（ＰＲＢ）等、周波数ドメインコンポーネント（「Ｆ」によって表される垂直アクセス）および時間ドメインコンポーネント（「Ｔ」によって指定される水平アクセス）を有する、リソースを使用して実施される。上記に議論されるように、変調および符号化スキーム（ＭＣＳ）および再伝送に配分されるリソースは、ＮＡＣＫのレベルに依存し得る。いくつかの実施形態では、ＮＡＣＫ１レベルは、無ＣＱＩオフセットに対応する。したがって、ＭＣＳおよび再伝送に配分されるリソースは、いかなる調節も伴わずに（すなわち、ＣＱＩオフセットを伴わずに）ＵＥ１０４によってＢＳ１０２に報告される、ＣＱＩインデックス値に対応するであろう。いくつかの実施形態では、ＮＡＣＫ１に対応するリソースは、１つ以上のＯＦＤＭシンボル（ＯＳ）３０５として配分され、図３Ａに示されるように、ＮＡＣＫ１再伝送リソース３０９は、初期伝送リソース３０１と同一（例えば、同一周波数および／または時間ドメインリソース）であることができる。いくつかの実施形態では、１つの物理リソースブロック（ＰＲＢ）内に含有される１つのＯＦＤＭシンボル（ＯＳ）内には、１２個のリソース要素（ＲＥ）が存在する。１２の長さを有するシーケンスは、１つのＨＡＲＱ−ＡＣＫメッセージを表すことができ、ＢＳ１０２によって構成されるような１つのＯＦＤＭシンボルにおけるＰＲＢ内の１２個のＲＥ上にマッピングされる。
【００３８】
図３Ｂは、ＮＡＣＫ３が、第２のＴＴＩ３０７の間、ＮＡＣＫ３のために配分されるリソース３１３上で返信される、シナリオを図示する。図３Ｂに示されるように、リソース３１３は、図３Ａに示されるようなＮＡＣＫ１のために配分されるリソース３０５と異なる（例えば、異なる周波数ドメイン）。図３Ｂにさらに示されるように、ＮＡＣＫ３が、ＢＳ１０２によって受信されると、ＢＳ１０２は、対応するＣＱＩインデックスオフセットをＢＳ１０２によってＵＥ１０４から受信されたＣＱＩインデックス値に適用するであろう。例えば、ＮＡＣＫ３のためのＣＱＩオフセットが、−６である場合、ＵＥ１０４によって報告されるＣＱＩインデックスは、６減少され、対応するＭＣＳ、ＢＬＥＲ、およびリソースが、再伝送のために配分されるであろう。いくつかの実施形態によると、ＮＡＣＫ３レベルは、よりロバストなリソースのセットを用いて、および／またはより低いＢＬＥＲ値に対応する、より低いデータレートにおいて、再伝送が行われるべきであることを示す。図３Ｂでは、再伝送リソース３１５は、ＮＡＣＫ３レベル再伝送リソースに対応し、ＭＣＳ、ＢＬＥＲ、およびＮＡＣＫ３レベルＮＡＣＫによって規定されたオフセットを伴うＣＱＩインデックスに対応する他の基準に基づいて、配分される。いくつかの実施形態では、図３Ｂに示されるように、再伝送リソース３１５は、ＮＡＣＫ２再伝送リソースと比較して、付加的サブキャリアを含み、これは、ＮＡＣＫ１再伝送リソースより多くのサブキャリアを含む。図３Ｂに示されるように、ＭＣＳおよび対応するリソース３１５は、ＣＱＩインデックス値＋第２のＰＲＢ（ＰＲＢ＃ｎ２）内のＮＡＣＫ３リソースのための対応するＣＱＩオフセットに従って、再伝送のために決定される。
【００３９】
いくつかの実施形態では、リソースは、異なる周波数ドメインリソース内に配分され、非均一に配分される。例えば、１つのリソース（すなわち、１つのシーケンスリソース）は、１つのＯＦＤＭシンボル内に含有されるＰＲＢ＃ｎ１内に配分され、例えば、ベースシーケンスに基づいて巡回シフトさせることによって生成され、ＡＣＫを表す。３つのリソース（例えば、シーケンスリソース）が、同一ＯＦＤＭシンボル内に含有されるＰＲＢ＃ｎ２内に配分され、例えば、同一ベースシーケンスに基づいて、３つの巡回シフトによって巡回シフトさせることによって生成され、それぞれ、ＮＡＣＫ１、ＮＡＣＫ２、およびＮＡＣＫ３を表す。異なるＰＲＢ内に配分されるシーケンスリソースは、種々の実施形態によると、完全に同一、完全に異なる、または部分的に同一であることができる。
【００４０】
いくつかの実施形態では、複数のレベルのＮＡＣＫ（例えば、ＮＡＣＫ１、ＮＡＣＫ２、およびＮＡＣＫ３）が、アップリンク通信の間、異なるシーケンスリソースを使用して、ＵＥ１０４からＢＳ１０２に伝送される。そのようにすることによって、データ再伝送は、異なるレベルの信頼性要件に適応し、低遅延および高信頼性伝送を維持しながら、システムスペクトル効率を改善するであろう。
【００４１】
いくつかの実施形態では、基地局は、マルチレベルのＮＡＣＫをサポートするＰＵＣＣＨリソースを用いて端末を構成してもよく、全てのレベルのマルチレベルＮＡＣＫの数は、Ｎと等しく、Ｎは、１より大きい整数である。例えば、Ｎ＝３の場合、マルチレベルＮＡＣＫは、３つのレベル、すなわち、ＮＡＣＫ１、ＮＡＣＫ２、およびＮＡＣＫ３を有する。以下の説明は、Ｎ＝３である実施例に関するが、本発明は、そのように限定されない。
【００４２】
異なるレベルのＮＡＣＫは、上記に議論されるように、異なるパラメータ値に対応し得る。例えば、各異なるＮＡＣＫレベルは、以下のパラメータ値、すなわち、ＣＱＩオフセット、ＣＱＩインデックス、標的ＢＬＥＲレベル、レートオフセット、レート値、信号対干渉＋雑音比（ＳＩＮＲ）レベル、およびＳＩＮＲオフセットのうちの１つ以上のものと関連付けられてもよい。
【００４３】
マルチレベルＮＡＣＫのためのリソースは、異なるシーケンスリソースによって決定される。基地局は、ＵＥに、ＡＣＫリソースを表すための１つのシーケンスと、Ｎ個のレベルのＮＡＣＫのためのＮ個のＮＡＣＫリソースを表すためのＮ個のシーケンスとを配分し得る。Ｎ＝３に関して、ＵＥは、合計３＋１＝４個のシーケンス、すなわち、それぞれ、ＡＣＫ、ＮＡＣＫ１、ＮＡＣＫ２、およびＮＡＣＫ３の各々に対して１つのシーケンスを配分される。
【００４４】
いくつかの実施形態では、シーケンスに基づくＰＵＣＣＨに関して、４つのＰＵＣＣＨリソースが、マルチレベルＮＡＣＫのためのＰＵＣＣＨリソースを配分するとき、異なる時間ドメイン内に配分される。異なる時間ドメインは、異なるスロット、異なるミニスロット、異なるシンボル、または異なるいくつかのシンボルであることができる。さらに、４つのＰＵＣＣＨリソースは、下記にさらに詳細に説明されるように、均一または非均一に配分されるかどうかにかかわらず、異なるＨＡＲＱ−ＡＣＫメッセージ（例えば、ＡＣＫ、ＮＡＣＫ１、ＮＡＣＫ２、またはＮＡＣＫ３）を表す、異なる時間ドメインリソース内にあってもよい。
【００４５】
一実施形態では、リソースは、異なる時間ドメインリソース内に配分され、均一に配分される。例えば、２つのリソース（すなわち、２つのシーケンスリソース）が、第１のＯＦＤＭシンボル（ＯＳ）＃ｎ１内に配分され、例えば、同一ベースシーケンスに基づいて、２つの異なるユニットによって巡回シフトさせることによって生成され、それぞれ、ＡＣＫおよびＮＡＣＫ１を表す。２つのさらなるリソース（すなわち、２つのシーケンスリソース）が、第２のＯＳ＃ｎ２に配分され、例えば、２つの異なるユニットによって、同一ベースシーケンスを巡回シフトさせることによって生成され、それぞれ、ＮＡＣＫ２およびＮＡＣＫ３を表す。異なるＯＳ内に配分されるシーケンスリソースは、完全に同一、完全に異なる、または部分的に同一であることができる。加えて、異なるＯＳ内に配分されるシーケンスリソースの周波数ドメインリソース（例えば、ＰＲＢ位置）は、完全に同一、完全に異なる、または部分的に同一であることができる。
【００４６】
いくつかの実施形態では、最低レベルのＮＡＣＫ（例えば、ＮＡＣＫ３）のためのリソースは、時間ドメイン内のより早いシンボル場所に現れる。このように、最低レベルのＮＡＣＫは、より早く伝送され、再伝送タイミングが固定されないとき、ＢＳ（例えば、ｅＮＢ）が可能な限り早く信号を再伝送することを可能にし得る。図４Ａに示されるように、信号は、最初に、初期伝送リソース４０１として配分されたＰＤＳＣＨリソース４０１を使用して、ＢＳ１０２からＵＥ１０４に伝送される。信号が正常に受信されたかまたは非正常に受信されたか（例えば、正常にデコードされたかまたは非正常にデコードされたか）に応じて、ＵＥ１０４は、例えば、誤りのレベル（例えば、ＢＬＥＲ）および／または残りの再伝送試行数に応じて、信号が正常に受信された場合、ＡＣＫメッセージ、または複数の可能性として考えられるＮＡＣＫメッセージ（例えば、ＮＡＣＫ１、ＮＡＣＫ２、ＮＡＣＫ３）のうちの１つのいずれかを返信するであろう。いくつかの実施形態によると、誤りのレベルが高いほど、および／または再伝送試行数が少ないほど、ＮＡＣＫレベルは高くなり、これは、よりロバストな再伝送スキームおよび／または再伝送リソースに対応する。例えば、ＮＡＣＫ３は、より低いデータレート（故に、より低い誤り率）および／または再伝送のために配分されているより多くの周波数および／または時間−ドメインリソースに対応し得る。
【００４７】
図４Ａに戻ると、初期伝送の受信または試行された初期伝送の検出に応答して、ＵＥ１０４は、伝送確認応答メッセージの対応するタイプに配分されるリソース４０５（例えば、ＯＳ４０５）を使用して、伝送確認応答メッセージ（例えば、ＨＡＲＱ−ＡＣＫメッセージ）を送信する。図４Ａの実施例では、ＯＳ４０５は、ＮＡＣＫ３レベルＮＡＣＫを含有し、第１のＯＳ＃ｎ１に対応し得、これは、上記に議論されるように、所定の量だけ時間ドメイン内で進められる。したがって、対応するＭＣＳおよびＮＡＣＫ３のための対応するリソース４０９は、ＮＡＣＫ３に対応するＣＱＩオフセットを伴って、再伝送のために決定されるであろう。図４Ａに示されるように、再伝送パラメータ（例えば、ＭＣＳ、ＢＬＥＲ等）およびＮＡＣＫ３に対応するリソース４０９は、それぞれ、ＮＡＣＫ２およびＮＡＣＫ１のものと比較してよりロバストであり得る。
【００４８】
図４Ｂは、ＮＡＣＫ１が、ＵＥ１０４によってＮＡＣＫ１に対応する配分されたアップリンクリソース４１３（例えば、ＯＳ４１３）上で返送される、例示的シナリオを図示する。図４Ｂに示されるように、リソース４１３は、上記に議論されたＮＡＣＫ３のためのリソース４０５と比較して、時間的に遅延され、したがって、ＮＡＣＫ３レベルＮＡＣＫより低い緊急度を伴ってハンドリングされる。図４Ｂにさらに示されるように、ＭＣＳおよびＣＱＩオフセットを伴わない再伝送のために決定された対応するリソースは、ＯＳ４１３内のＮＡＣＫ１に従って決定される。
【００４９】
いくつかの実施形態では、確認応答情報を伝送するためのリソースは、異なる時間ドメインリソース内に配分され、非均一に配分される。例えば、１つのリソース（すなわち、１つのシーケンスリソース）が、第１のＯＳ＃ｎ１内に配分され、例えば、ベースシーケンスを巡回シフトさせることによって生成され、ＮＡＣＫ３を表す。３つのリソース（すなわち、３つのシーケンスリソース）が、第２のＯＳ＃ｎ２内に配分され、例えば、３つの異なるユニットによって、同一ベースシーケンスを巡回シフトさせることによって生成され、それぞれ、ＡＣＫ、ＮＡＣＫ１、およびＮＡＣＫ２を表す。異なるＯＳ内に配分されるシーケンスリソースは、種々の実施形態によると、完全に同一、完全に異なる、または部分的に同一であることができる。さらに、異なるＯＳ内に配分されるシーケンスリソースの周波数ドメインリソース（例えば、ＰＲＢ位置）は、種々の実施形態によると、完全に同一、完全に異なる、または部分的に同一であることができる。
【００５０】
上記に議論されるアップリンク情報伝送方法は、いくつかの実施形態によると、マルチレベルＮＡＣＫを異なるシーケンスリソース上で伝送するステップを実装してもよく、最低レベルＮＡＣＫは、より早く伝送され得る。そうすることによって、データ再伝送は、異なるレベルの信頼性要件に適応し、低遅延および高信頼性伝送を維持しながら、システムスペクトル効率を改善するであろう。
【００５１】
いくつかの実施形態では、基地局は、マルチレベルのＮＡＣＫをサポートするＰＵＣＣＨリソースを用いて端末を構成してもよく、全てのレベルのマルチレベルＮＡＣＫの数は、Ｎと等しく、Ｎは、１より大きい整数である。例えば、Ｎ＝３である場合、マルチレベルＮＡＣＫは、３つのレベル、すなわち、ＮＡＣＫ１、ＮＡＣＫ２、およびＮＡＣＫ３を有する。以下の説明は、Ｎ＝３である実施例に関するが、本発明は、そのように限定されない。
【００５２】
いくつかの実施形態では、マルチレベルＮＡＣＫの各レベルは、以下のパラメータ、すなわち、ＣＱＩオフセット、ＣＱＩインデックス、標的ＢＬＥＲレベル、レートオフセット、レート値、信号対干渉＋雑音比（ＳＩＮＲ）レベル、およびＳＩＮＲオフセットのうちの１つ以上のものと関連付けられることができる。
【００５３】
マルチレベルＮＡＣＫのためのリソースは、いくつかの実施形態によると、異なるシーケンスリソースによって決定される。基地局は、ＵＥに、ＡＣＫリソースを表すための１つのシーケンスと、Ｎ個のレベルのＮＡＣＫのためのＮ個のＮＡＣＫリソースを表すためのＮ個のシーケンスとを配分し得る。Ｎ＝３に関して、ＵＥは、合計３＋１＝４シーケンス、すなわち、ＡＣＫ、ＮＡＣＫ１、ＮＡＣＫ２、およびＮＡＣＫ３を配分される。
【００５４】
一実施形態では、復調参照信号（ＤＭＲＳ）に基づくＰＵＣＣＨ信号に関して、ＰＵＣＣＨリソースを配分するとき、２つのＰＵＣＣＨリソースが、同一時間ドメイン内に配分される。同一時間ドメインは、同一スロット、同一ミニスロット、同一シンボル、または同一の複数のシンボルセットであってもよい。さらに、２つのリソースは、種々の実施形態によると、同一周波数ドメインリソースまたは異なる周波数ドメインリソース内にあってもよい。異なる周波数ドメインリソース内に配分されるとき、リソースは、下記にさらに詳細に説明されるように、均一に配分される、異なるＨＡＲＱ−ＡＣＫステータス（例えば、ＡＣＫ、ＮＡＣＫ１、ＮＡＣＫ２、またはＮＡＣＫ３）を表す。
【００５５】
一実施形態では、リソースは、２つのリソース、例えば、同一ベースシーケンスに基づいて、２つの異なるユニットによって巡回シフトさせることによって生成された２つのシーケンスリソースをＰＲＢ＃ｎ１内に配分することによって、同一周波数ドメインリソース内に配分され、シーケンスのうちの一方は、ＢＰＳＫ変調シンボルによって乗算され、ＡＣＫおよびＮＡＣＫ１を表し、他方のシーケンスもまた、ＢＰＳＫ変調シンボルによって乗算され、ＮＡＣＫ２およびＮＡＣＫ３を表す。
【００５６】
別の実施形態では、リソースは、異なる周波数ドメインリソース内に配分され、均一に配分される。例えば、１つのリソース（すなわち、１つのシーケンスリソース）は、ＰＲＢ＃ｎ１内に配分され、例えば、ベースシーケンスを巡回シフトさせることによって生成され、シーケンスは、ＢＰＳＫ変調シンボルによって乗算され、ＡＣＫおよびＮＡＣＫ１を表す。１つのリソース（すなわち、１つのシーケンスリソース）は、ＰＲＢ＃ｎ２内に配分され、例えば、ベースシーケンスを巡回シフトさせることによって生成され、シーケンスは、ＢＰＳＫ変調シンボルによって乗算され、ＮＡＣＫ２およびＮＡＣＫ３を表す。異なるＰＲＢ内に配分されるシーケンスリソースは、完全に同一、完全に異なる、または部分的に同一であることができる。再び図３Ａを参照すると、ＭＣＳおよびＣＱＩオフセットを伴わずに再伝送のために決定された対応するリソースは、上記に議論されるように、ＰＲＢ＃ｎ１内のＮＡＣＫ１に従って決定される。図３Ｂに示されるように、ＭＣＳおよびＣＱＩオフセットを伴って再伝送のために決定された対応するリソースは、例えば、ＰＲＢ＃ｎ２内のＮＡＣＫ３に従って決定される。図３Ｂに図示されるものの類似シナリオは、例えば、ＵＥ１０４によってＢＳ１０２に伝送されるＮＡＣＫ２  ＨＡＲＱ−ＡＣＫメッセージに従って決定されたＣＱＩオフセットを伴った再伝送に関して描写され得る。
【００５７】
いくつかの実施形態では、復調参照信号（ＤＭＲＳ）に基づくＰＵＣＣＨ信号に関して、ＰＵＣＣＨリソースを配分するとき、１つのＰＵＣＣＨリソースが、同一時間ドメイン内に配分される。同一時間ドメインは、同一スロット、同一ミニスロット、同一シンボル、または同一の複数のシンボルのセットであってもよい。１つのリソース（すなわち、１つのシーケンスリソース）は、ＰＲＢ＃ｎ１内に配分され、例えば、ベースシーケンスを巡回シフトさせることによって生成され、シーケンスは、ＱＰＳＫ変調シンボルによって乗算され、それぞれ、ＡＣＫ、ＮＡＣＫ１、ＮＡＣＫ２、およびＮＡＣＫ３を表す。
【００５８】
一実施形態では、シーケンスに基づくＰＵＣＣＨに関して、２つのＰＵＣＣＨリソースが、ＰＵＣＣＨリソースを配分するとき、異なる時間ドメイン内に配分される。異なる時間ドメインは、異なるスロット、異なるミニスロット、異なるシンボル、または異なるグループシンボルであることができる。さらに、２つのＰＵＣＣＨリソースが、下記にさらに詳細に説明されるように、異なるＨＡＲＱ−ＡＣＫステータスを表し、均一に配分される、異なる時間ドメインリソース内にあってもよい。
【００５９】
一実施形態では、リソースは、異なる時間ドメインリソース内に配分され、均一に配分される。例えば、１つのリソース（すなわち、１つのシーケンスリソース）は、ＯＦＤＭシンボル（ＯＳ）＃ｎ１内に配分され、例えば、ベースシーケンスを巡回シフトさせることによって生成され、シーケンスは、ＢＰＳＫ変調シンボルによって乗算され、ＡＣＫおよびＮＡＣＫ１を表す。別のリソース（すなわち、１つのシーケンスリソース）は、ＯＳ＃ｎ２内に配分され、例えば、ベースシーケンスを巡回シフトさせることによって生成され、シーケンスは、ＢＰＳＫ変調シンボルによって乗算され、ＮＡＣＫ２およびＮＡＣＫ３を表す。異なるＯＳ内に配分されるシーケンスリソースは、種々の実施形態によると、完全に同一、完全に異なる、または部分的に同一であることができる。異なるＯＳ内に配分されるシーケンスリソースの周波数ドメインリソース（例えば、ＰＲＢ位置）は、種々の実施形態によると、完全に同一、完全に異なる、または部分的に同一であることができる。好ましくは、最低レベルのＮＡＣＫ（例えば、ＮＡＣＫ３）のためのリソースは、例えば、図４Ａに示されるように、時間ドメイン内のより早いシンボル場所に現れる。再び図４Ａを参照すると、上記に説明されるシナリオでは、ＨＡＲＱ−ＡＣＫメッセージが、ＮＡＣＫ３であるとき、ＭＣＳおよびＣＱＩオフセットを伴う再伝送のために決定された対応するリソースは、図４Ａに示されるように、ＯＳ＃ｎ１内のＮＡＣＫ３に従って決定される。同様に、図４Ｂに示されるように、ＨＡＲＱ−ＡＣＫメッセージが、ＮＡＣＫ３であるとき、ＭＣＳおよびＣＱＩオフセットを伴わない再伝送のために決定された対応するリソースは、ＯＳ＃ｎ２内のＮＡＣＫ１に従って決定される。
【００６０】
上記に議論されるように、種々の実施形態では、アップリンク情報伝送方法は、異なるリソース上でのマルチレベルＮＡＣＫの伝送を実装してもよい。そうすることによって、データ再伝送は、異なるレベルの信頼性要件に適応し、低遅延および高信頼性伝送を維持しながら、システムスペクトル効率を改善するであろう。
【００６１】
いくつかの実施形態では、基地局は、スケジューリング要求（ＳＲ）を搬送するように構成されるＰＵＣＣＨリソースを用いて端末を構成してもよく、複数のリソース（例えば、４つ）が、ＳＲを搬送するために配分されてもよい。部分的ステータス節約が、種々の実施形態によると、ＳＲとＨＡＲＱ−ＡＣＫメッセージを同時に伝送することによってサポートされ得る。いくつかの実施形態では、リソースは、同一周波数ドメインリソース内の異なるシーケンスによって決定されることができる。上記に議論されるように、いくつかの実施形態では、シーケンスリソースは、ベースシーケンスに基づいて、異なる巡回シフトによって導出されることができる。
【００６２】
一実施形態では、基地局は、１つのリソースをＳＲリソースとして構成し、これは、ＳＲが伝送され、ＨＡＲＱ−ＡＣＫメッセージが伝送されないときに使用され得る。いくつかの実施形態では、ＳＲおよびＨＡＲＱ−ＡＣＫが、同時に伝送される必要があるが、同時伝送が、サポートされていないとき、ＨＡＲＱ−ＡＣＫ情報のみが、伝送され、ＳＲ伝送は、破棄される。ＳＲおよびＨＡＲＱ−ＡＣＫが、同時に伝送される必要があって、同時伝送が、例えば、ＵＥによってサポートされるとき、伝送は、構成されたＨＡＲＱ−ＡＣＫおよびＳＲリソース内で実施され、異なる意味が、異なるリソースによって表される。ＨＡＲＱ−ＡＣＫメッセージが、例えば、１ビットのみであるとき、２つのリソースが、ＨＡＲＱ−ＡＣＫが、それぞれ、ＡＣＫおよびＮＡＣＫを表すために配分される。ここでは、ＳＲリソースに関して、合計３つのリソースが存在し、それによって、同時伝送の情報が、下記の表１に示されるように表される。ここでは、３つのリソースは、それぞれ、ＡＣＫのみの伝送、ＮＡＣＫのみの伝送、およびＡＣＫおよびＳＲの同時伝送を表す。同時に伝送するとき、ＳＲは、１つのみのリソースを有し、１つのみのステータスを表し得る。ＡＣＫの確率は、より高いため、ＳＲリソースは、ＡＣＫを表すために使用されてもよい。ＮＡＣＫおよびＳＲを同時に伝送するとき、ＮＡＣＫのためのリソースは、依然として、使用され、ＳＲがドロップされることを意味する（例えば、ＮＡＣＫの確率が１０％であるため、１０％の確率を伴う）。次いで、ＵＥは、次の利用可能な伝送周期内で伝送するであろう。代替として、ＮＡＣＫおよびＳＲが、同時に伝送されるとき、ＮＡＣＫリソースおよびＳＲリソースの両方が、伝送のために使用される（すなわち、ＵＥは、２つのシーケンスを同時に送信する）。
【表１】
0006968263.tif 000006
【００６３】
代替として、下記の表２に示されるように、ＮＡＣＫおよびＳＲが、同時に伝送されるとき、ＳＲは、１つのみのリソースを有し、１つのみのステータスを表す。したがって、基地局とＵＥとの間の矛盾した理解につながる、ＰＤＣＣＨ検出の逸失を回避するために、ＳＲリソースが、ＮＡＣＫを表すために使用されてもよい。ＡＣＫおよびＳＲが、同時に伝送されるとき、ＡＣＫリソースが、使用される。本シナリオでは、ＳＲは、ドロップされると見なされ（９０％の確率を伴う）、ＵＥは、次の利用可能な伝送周期内で伝送するであろう。
【表２】
0006968263.tif 000007
【００６４】
いくつかの実施形態では、基地局は、２つのリソースをＳＲリソースとして構成することができる。ＳＲが、伝送され、ＨＡＲＱ−ＡＣＫメッセージが、伝送されないとき、２つのリソースのうちの１つは、ＳＲを伝送するために使用され、２つのリソースは、それぞれ、異なるトラフィックタイプ、例えば、ｅＭＢＢおよびＵＲＬＬＣトラフィックに対応するか、またはＴＴＩの異なる長さ、例えば、ｓＴＴＩおよびＴＴＩに対応するかのいずれかである。ＳＲおよびＨＡＲＱ−ＡＣＫが、同時に伝送される必要があるが、同時伝送が、サポートされないとき、ＨＡＲＱ−ＡＣＫ情報のみが、伝送され、ＳＲ伝送は、破棄される。ＳＲおよびＨＡＲＱ−ＡＣＫが、同時に伝送される必要があって、同時伝送は、サポートされるとき、伝送は、構成されたＨＡＲＱ−ＡＣＫおよびＳＲリソース内で実施され、異なる意味が、表される。ＨＡＲＱ−ＡＣＫメッセージが、１ビットであるとき、２つのリソースが、ＨＡＲＱ−ＡＣＫが、それぞれ、ＡＣＫおよびＮＡＣＫを表すために配分される。この場合、合計４つのリソースが存在し、それぞれ、ＡＣＫのみの伝送、ＮＡＣＫのみの伝送、ＡＣＫおよびＳＲの同時伝送、およびＮＡＣＫおよびＳＲの同時伝送を表す。下記の表３に示されるように、同一リソースが、ＳＲが２つのリソースのうちの１つを使用して伝送されるとき、そしてＮＡＣＫおよびＳＲが同時に伝送されるとき、使用される。
【表３】
0006968263.tif 000008
【００６５】
いくつかの実施形態では、ＨＡＲＱ−ＡＣＫメッセージは、２ビットであることができ、４つのリソースが、ＨＡＲＱ−ＡＣＫメッセージが、それぞれ、｛ＡＣＫ，ＡＣＫ｝、｛ＮＡＣＫ，ＡＣＫ｝、｛ＡＣＫ，ＮＡＣＫ｝、および｛ＮＡＣＫ，ＮＡＣＫ｝を表すために配分される。ここでは、ＳＲリソースに関して、合計６つのリソースが存在し、下記の表４に示されるように、｛ＡＣＫ，ＡＣＫ｝のみの伝送、｛ＮＡＣＫ，ＡＣＫ｝のみの伝送、｛ＡＣＫ，ＮＡＣＫ｝のみの伝送、｛ＮＡＣＫ，ＮＡＣＫ｝の伝送、｛ＡＣＫ，ＡＣＫ｝およびＳＲの同時伝送、｛ＮＡＣＫ，ＡＣＫ｝およびＳＲの同時伝送を表す。したがって、現在のＳＲがドロップされるであろう確率は、約１０％である。しかしながら、これは、トランスポートブロックの不必要な再伝送につながらないであろう。
【表４】
0006968263.tif 000009
【００６６】
いくつかの実施形態では、基地局とＵＥとの間の矛盾した理解につながる、ＰＤＣＣＨ検出の逸失を回避するために、ＳＲリソースに関して、合計６つのリソースが存在し、下記の表５に示されるように、｛ＡＣＫ，ＡＣＫ｝のみの伝送、｛ＮＡＣＫ，ＡＣＫ｝のみの伝送、｛ＡＣＫ，ＮＡＣＫ｝のみの伝送、｛ＮＡＣＫ，ＮＡＣＫ｝のみの伝送、｛ＮＡＣＫ，ＮＡＣＫ｝およびＳＲの同時伝送、および｛ＮＡＣＫ，ＡＣＫ｝およびＳＲの同時伝送を表す。
【表５】
0006968263.tif 000010
【００６７】
いくつかの実施形態によると、別の方法は、２ビットを使用することであって、ＡＣＫ／ＮＡＣＫおよびＳＲの同時伝送が、下記の表６に示されるように、バンドル化方法で実装される。２つのＳＲリソースは、「ＳＲのみ」伝送のために配分されてもよく、異なるトラフィックタイプを区別してもよい。しかしながら、ＡＣＫ／ＮＡＣＫと同時に伝送されるとき、異なるトラフィックタイプは、区別され得ない。
【表６】
0006968263.tif 000011
【００６８】
いくつかの実施形態では、基地局は、３つのリソースをＳＲリソースとして構成する。ＳＲが、伝送され、ＨＡＲＱ−ＡＣＫメッセージが、伝送されないとき、ＳＲが、３つのリソースのうちの１つ上で伝送され、３つのリソースのうちの他の２つのリソースは、それぞれ、異なるトラフィックタイプ、例えば、ｅＭＢＢおよびＵＲＬＬＣトラフィックに対応するか、またはＴＴＩの異なる長さ、例えば、ｓＴＴＩおよびＴＴＩに対応するかのいずれかである、または３つのリソースは、それぞれ、異なるトラフィックタイプ、例えば、ｅＭＢＢ、ｍＭＴＣ、およびＵＲＬＬＣトラフィックに対応する、またはＴＴＩの異なる長さ、例えば、ｓＴＴＩ＿２ＯＳ、ｓＴＴＩ＿７ＯＳ、およびＴＴＩに対応する。ＳＲおよびＨＡＲＱ−ＡＣＫが、同時に伝送される必要があるが、同時伝送が、サポートされないとき、ＨＡＲＱ−ＡＣＫ情報のみが、伝送され、ＳＲ伝送は、破棄される。ＳＲおよびＨＡＲＱ−ＡＣＫメッセージが、同時に伝送される必要があって、同時伝送が、サポートされるとき、伝送は、構成されたＨＡＲＱ−ＡＣＫおよびＳＲリソース内で実施され、異なる意味が、表される。ＨＡＲＱ−ＡＣＫメッセージが、２ビットであるとき、４つのリソースは、ＨＡＲＱ−ＡＣＫメッセージが、｛ＡＣＫ，ＡＣＫ｝、｛ＮＡＣＫ，ＡＣＫ｝、｛ＡＣＫ，ＮＡＣＫ｝、および｛ＮＡＣＫ，ＮＡＣＫ｝を表すために配分される。ここでは、合計７つのリソースが存在し、｛ＡＣＫ，ＡＣＫ｝のみの伝送、｛ＮＡＣＫ，ＡＣＫ｝のみの伝送、｛ＡＣＫ，ＮＡＣＫ｝のみの伝送、｛ＮＡＣＫ，ＮＡＣＫ｝のみの伝送、｛ＡＣＫ，ＡＣＫ｝およびＳＲの同時伝送、｛ＮＡＣＫ，ＡＣＫ｝およびＳＲの同時伝送、｛ＡＣＫ，ＮＡＣＫ｝およびＳＲの同時伝送を表す。現在のＳＲがドロップされるであろう確率は、約１０％である。しかしながら、これは、トランスポートブロックの不必要な再伝送につながらないであろう。
【００６９】
さらなる実施形態では、基地局は、４つのリソースをＳＲリソースとして構成する。ＳＲが、伝送され、ＨＡＲＱ−ＡＣＫメッセージが、伝送されないとき、４つのリソースのうちの１つは、ＳＲを伝送するために使用され、４つのリソースのうちの２つの他のリソースは、それぞれ、異なるトラフィックタイプ、例えば、ｅＭＢＢおよびＵＲＬＬＣトラフィックに対応するか、またはＴＴＩの異なる長さ、例えば、ｓＴＴＩおよびＴＴＩに対応するかのいずれかである、または４つのリソースのうちの３つは、それぞれ、異なるトラフィックタイプ、例えば、ｅＭＢＢ、ｍＭＴＣ、およびＵＲＬＬＣに対応するか、またはＴＴＩの異なる長さ、例えば、ｓＴＴＩ＿２ＯＳ、ｓＴＴＩ＿７ＯＳ、およびＴＴＩに対応する。ＳＲおよびＨＡＲＱ−ＡＣＫが、同時に伝送される必要があるが、同時伝送が、サポートされないとき、ＨＡＲＱ−ＡＣＫ情報のみが、伝送され、ＳＲ伝送は、破棄される。ＳＲおよびＨＡＲＱ−ＡＣＫが、同時に伝送される必要があって、同時伝送が、サポートされるとき、伝送は、構成されたＨＡＲＱ−ＡＣＫおよびＳＲリソース内で実施され、異なる意味が、表される。ＨＡＲＱ−ＡＣＫが、２ビットであるとき、４つのリソースが、ＨＡＲＱ−ＡＣＫが、｛ＡＣＫ，ＡＣＫ｝、｛ＮＡＣＫ，ＡＣＫ｝、｛ＡＣＫ，ＮＡＣＫ｝、および｛ＮＡＣＫ，ＮＡＣＫ｝を表すために配分される。ここでは、４つのＳＲリソースに関して、合計８つのリソースが存在し、下記の表７に示されるように、｛ＡＣＫ，ＡＣＫ｝のみの伝送、｛ＮＡＣＫ，ＡＣＫ｝のみの伝送、｛ＡＣＫ，ＮＡＣＫ｝のみの伝送、｛ＮＡＣＫ，ＮＡＣＫ｝のみの伝送、｛ＡＣＫ，ＡＣＫ｝およびＳＲの同時伝送、｛ＮＡＣＫ，ＡＣＫ｝およびＳＲの同時伝送、｛ＡＣＫ，ＮＡＣＫ｝およびＳＲの同時伝送、および｛ＮＡＣＫ，ＮＡＣＫ｝およびＳＲの同時伝送を表し、同一リソースを使用して、ＳＲのみを伝送し、｛ＮＡＣＫ，ＮＡＣＫ｝およびＳＲを同時に伝送することが好ましい。
【表７】
0006968263.tif 000012
【００７０】
いくつかの実施形態では、ＨＡＲＱ−ＡＣＫメッセージは、２ビットであって、ＡＣＫ／ＮＡＣＫおよびＳＲの同時伝送は、バンドル化方法で実装され、下記の表８に示されるように、ＳＲのみモードは、異なるトラフィックタイプを区別し得、ＡＣＫ／ＮＡＣＫの同時伝送もまた、異なるトラフィックタイプを区別し得る。ここでは、ＡＣＫ／ＮＡＣＫおよびＳＲを同時に伝送するとき、ＰＤＣＣＨの検出が、逸失される（例えば、ＵＥが、メッセージがＳＲのみであると考えるが、基地局が、それがＡＣＫ／ＮＡＣＫ＋ＳＲであると考える）場合でも、ＵＥは、ＳＲ＿１およびＳＲ＿２を伝送し、これを基地局は、ＮＡＣＫとして認識し、それによって、再伝送をトリガし、逸失されたＰＤＣＣＨ検出の問題を是正し、信頼性を改善する。ＡＣＫを伝送する確率が、より高いため、好ましくは、ＳＲ＿１は、巡回シフト（ＣＳ）＝０であって、ＳＲ＿２は、ＣＳ＝６であって、ＳＲ＿３は、ＣＳ＝３であって、ＳＲ＿４は、ＣＳ＝９であるように選定される。
【表８】
0006968263.tif 000013
【００７１】
上記に説明されるように、いくつかの実施形態では、本発明は、ＳＲおよびＨＡＲＱ−ＡＣＫを同時に伝送するとき、より効率的リソース節約を伴って、より効果的情報を伝送するために使用され得る、アップリンク情報伝送方法を提供する。種々の実施形態によると、そのような方法は、減少された多重化容量につながる、過剰なシーケンスリソースを配分することを回避し、したがって、システムリソース利用を改善する。
【００７２】
いくつかの実施形態では、シーケンスベースのｓＰＵＣＣＨ信号は、短縮ＴＴＩ（ｓＴＴＩ）における２／３シンボル内のＨＡＲＱ−ＡＣＫ伝送のために最大２ビットを含む。リソースオーバーヘッド懸念に対処するために、ＳＲおよびＨＡＲＱ−ＡＣＫメッセージの同時伝送を検討するとき、２つの代替が、本発明の２つの実施形態に従って開示される。
【００７３】
（代替１：ＳＲのための１つのＰＵＣＣＨリソースを構成する）
ｓＴＴＩの２シンボル内のＤＣＩフォーマット１Ａによる伝送モード（ＴＭ）１＼２＼６またはＴＭ３＼４＼９＼１０スケジューリングのために、２つのＰＵＣＣＨリソースが、１ビットＨＡＲＱ−ＡＣＫ伝送のために配分されるものとする。１つのみのＳＲ−ＰＵＣＣＨリソースを用いた１ビットＡＣＫ／ＮＡＣＫとＳＲとの間の多重化は、下記の表９に与えられる。
【表９】
0006968263.tif 000014
【００７４】
ＳＲ機会を伴うｓＴＴＩでは、ＵＥは、本ｓＴＴＩ内でＳＲ伝送のみが存在する場合、配分されたＳＲリソースＣＳ＿ＳＲを使用して、ＳＲを伝送する。１ビットＨＡＲＱ−ＡＣＫ伝送のみが、予期される場合、ＵＥは、配分されたＨＡＲＱ−ＡＣＫリソースＣＳ＿ＡおよびＣＳ＿Ｎを利用して、それぞれ、ＡＣＫおよびＮＡＣＫを伝送することができる。ＳＲおよび１ビットＮＡＣＫの同時伝送の場合、ＵＥは、ＮＡＣＫおよびＳＲの伝送のために、ＳＲリソースＣＳ＿ＳＲを使用することができる。この場合、ＰＤＣＣＨの断続伝送（ＤＴＸ）は、ｅＮＢ側においてＮＡＣＫと見なされるであろう。ＳＲおよび１ビットＡＣＫが、同一ｓＴＴＩ内で伝送されるべきとき、ＵＥは、単に、ＣＳ＿Ａを伝送することができる一方、ｅＮＢは、ＡＣＫのみの伝送およびＳＲ＋ＡＣＫ伝送を区別することが可能ではないであろう。言い換えると、ＳＲは、この場合、ドロップされる。代替として、ＵＥはまた、ＣＳ＿ＡおよびＣＳ＿ＳＲの両方を伝送し、より高いピーク電力対平均電力比（ＰＡＰＲ）を生じさせることによって、本場合を区別することができる。
【００７５】
ＤＣＩフォーマット１ＡによるものではないＴＭ３＼４＼９＼１０スケジューリングに関して、２ビットＡＣＫ／ＮＡＣＫ伝送のための４つのＰＵＣＣＨリソースが、ＳＲ機会を伴わずに、２シンボルｓＴＴＩ内で構成される必要がある。しかしながら、ＨＡＲＱ−ＡＣＫバンドル化は、ＳＲ機会を伴って、ｓＴＴＩ内で使用されることができる。この場合、２つのＰＵＣＣＨリソースが、ＨＡＲＱ−ＡＣＫに対して構成され、表９と同一多重化機構が、適用されることができる。
【００７６】
（代替２：ＳＲのための２つのＰＵＣＣＨリソースを構成する）
下記の表１０に示されるように、２つのＰＵＣＣＨリソースが、２シンボルｓＴＴＩ内でＳＲに対して構成される。上記に説明される代替１の拡張として、２つのリソースＣＳ＿ＳＲ１、ＣＳ＿ＳＲ２が、１ビットＡＣＫ＋ＳＲ伝送と１ビットＮＡＣＫ＋ＳＲ伝送との間でさらに区別するために使用されることができる。
【表１０】
0006968263.tif 000015
【００７７】
上記に議論される代替に基づいて、ＰＵＣＣＨリソースオーバーヘッドは、軽減されることができる。いくつかの実施形態によると、ＮＲスケジューリング要求プロトコル、方法、およびシステムが、開示される。ＬＴＥでは、スケジューリング要求（ＳＲ）が、アップリンクデータ伝送のためのリソースを要求するために使用される。ＳＲの１つのみの状態を搬送するオン／オフ切替機構が、使用される。具体的には、正のＳＲのみが、伝送されるとき、ＵＥは、ＰＵＣＣＨフォーマット１を使用して、その割り当てられたＳＲリソース上で伝送するものとし、そうでなければ、ＵＥは、負のＳＲに関して何も伝送しないものとする。いくつかの実施形態では、ＳＲトリガアップリンクグラントベースのデータ伝送設計は、異なる設計提案を査定するとき、ＵＲＬＬＣを含む、適用可能な信頼性および待ち時間要件を検討する。これは、ＬＴＥにおいて使用されるオン／オフ切替機構が、ＮＲ内のＵＬグラントのために十分な情報を提供することができないことを含意する。
【００７８】
（単一ビームのためのＳＲ拡張）
ＮＲでは、異なる信頼性および待ち時間要件、例えば、ｅＭＢＢおよびＵＲＬＬＣを伴う、複数のサービスが、サポートされる。異なるサービスは、異なるスケジューリング数秘術を使用して、設計メトリックを満たし得る。そのような場合、ＮＲ内のＳＲは、異なるサービスのためのスケジューリングを区別すべきである。具体的には、短ＰＵＣＣＨフォーマットは、ＵＲＬＬＣが短待ち時間を満たすためのＨＡＲＱ−ＡＣＫフィードバックに関するベースラインであるべきである。これは、ＳＲが長ＰＵＣＣＨフォーマット内で伝送される場合、トリガされるトラフィックが、常時、ｅＭＢＢデータであるものとすることを意味する。しかし、短ＰＵＣＣＨ内で伝送されるＳＲに関して、２つのＳＲ構成を伴う１ビットＳＲは、スケジューリングをｅＭＢＢおよびＵＲＬＬＣと区別するために使用されるべきである。
【００７９】
一実施形態では、少なくとも、短ＰＵＣＣＨ内で伝送されるＳＲに関して、２つのＳＲ構成を伴う１ビットＳＲは、ｅＭＢＢおよびＵＲＬＬＣのためのスケジューリングを区別するために使用される。最大２ビットＵＣＩのための所定のシーケンス選択に基づいて、２または４つの構成されたシーケンスが、１／２ビットＵＣＩのために必要とされる。１／２ビットＡＣＫ／ＮＡＣＫおよびＳＲの同時伝送を検討すると、ＵＥは、ＳＲのための４つのシーケンスリソースを構成するものとする。異なるサービスを区別するために使用される２つのＳＲ構成と組み合わせて、合計８つのＳＲ構成が、要求される。これは、ＰＵＣＣＨリソースの大オーバーヘッドを生じさせるであろう。本問題を解決するための１つの方法は、２ビットＵＣＩをバンドル化し、２ビットＡＣＫ／ＮＡＣＫおよびＳＲの同時伝送のための必要とされるＰＵＣＣＨリソースの量を低減させることである。したがって、４つのＳＲ構成が、必要とされる。下記の表１１は、一実施形態による、ＳＲ機会を伴う短ＰＵＣＣＨ内のＳＲと２ビットＡＣＫ／ＮＡＣＫとの間の多重化のための実施例を示す。４つのＳＲ構成が、それぞれ、ＣＳ＿ＳＲ１、ＣＳ＿ＳＲ２、ＣＳ＿ＳＲ３、およびＣＳ＿ＳＲ４として定義される。バンドル化されたＡＣＫ／ＮＡＣＫおよびＳＲの同時伝送のために、バンドル化されたＮＡＣＫのために使用されるＳＲ構成は、ＳＲのみ伝送のための構成と同一である。これは、ＰＤＣＣＨが逸失されるときの可能性として考えられる曖昧性を回避するためである。いくつかの実施形態では、４つのＳＲ構成を伴う１ビットＳＲが、シーケンス選択に基づいて、短ＰＵＣＣＨ内のＳＲ伝送のために定義される。
【表１１】
0006968263.tif 000016
【００８０】
本発明の種々の実施形態が、上記に説明されたが、それらは、限定としてではなく、実施例としてのみ提示されたことを理解されたい。同様に、種々の略図は、例示的アーキテクチャまたは構成を描写し得、これは、当業者が、本発明の例示的特徴および機能を理解することを可能にするために提供される。しかしながら、そのような当業者は、本発明が、図示される例示的アーキテクチャまたは構成に制限されず、種々の代替アーキテクチャおよび構成を使用して実装されることができることを理解するであろう。
【００８１】
加えて、当業者によって理解されるであろうように、一実施形態の１つ以上の特徴は、本明細書に説明される別の実施形態の１つ以上の特徴と組み合わせられることができる。したがって、本開示の範疇および範囲は、上記に説明される例示的実施形態のいずれかによって限定されるべきではない。
【００８２】
また、「第１」、「第２」等の指定を使用した本明細書における要素の任意の参照は、概して、それらの要素の数量または順序を限定するものではないことを理解されたい。むしろ、これらの指定は、本明細書では、２つ以上の要素または要素のインスタンス間で区別する便宜的手段として使用されることができる。したがって、第１および第２の要素の参照は、２つのみの要素が採用され得ること、または、第１の要素がある様式において第２の要素に先行しなければならないことを意味するものではない。
【００８３】
加えて、当業者は、情報および信号が種々の異なる技術および技法のいずれかを使用して表されることができることを理解するであろう。上記の説明において参照され得る、例えば、データ、命令、コマンド、情報、信号、ビット、およびシンボルは、例えば、電圧、電流、電磁波、磁場または粒子、光場または粒子、または任意のそれらの組み合わせによって表されることができる。
【００８４】
当業者はさらに、本明細書に開示される側面に関連して説明される、種々の例証的論理ブロック、モジュール、プロセッサ、手段、回路、方法、および機能のいずれかが、電子ハードウェア（例えば、デジタル実装、アナログ実装、またはその２つの組み合わせ）、ファームウェア、命令を組み込む種々の形態のプログラムまたは設計コード（本明細書では、便宜上、「ソフトウェア」または「ソフトウェアモジュールと称され得る）、またはこれらの技法の任意の組み合わせによって実装されることができることを理解するであろう。ハードウェア、ファームウェア、およびソフトウェアの本可換性を明確に例証するために、種々の例証的コンポーネント、ブロック、モジュール、回路、およびステップは、概して、その機能性の観点から上記に説明されている。そのような機能性が、ハードウェア、ファームウェア、またはソフトウェア、またはこれらの技法の組み合わせとして実装されるかどうかは、特定の用途および全体的システム上に課される設計制約に依存する。当業者は、説明される機能性を各特定の用途に対して種々の方法で実装することができるが、そのような実装決定は、本開示の範囲からの逸脱を生じさせるものではない。
【００８５】
種々の実施形態によると、プロセッサ、デバイス、コンポーネント、回路、構造、機械、モジュール等は、本明細書に説明されるのうちの１つ以上のもの機能を実施するように構成されることができる。本明細書で使用されるとき、規定された動作または機能に関する用語「〜ように構成される（ｃｏｎｆｉｇｕｒｅｄ  ｔｏ）」または「〜のために構成される（ｃｏｎｆｉｇｕｒｅｄ  ｆｏｒ）」は、規定された動作または機能を実施するように物理的に構築される、プログラムされる、および／または配列される、プロセッサ、デバイス、コンポーネント、回路、構造、機械、モジュール等を指す。
【００８６】
さらに、当業者は、本明細書に説明される種々の例証的論理ブロック、モジュール、デバイス、コンポーネント、および回路が、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、または任意のそれらの組み合わせを含み得る、集積回路（ＩＣ）内に実装される、またはそれによって実施されることができることを理解するであろう。論理ブロック、モジュール、および回路はさらに、アンテナおよび／または送受信機を含み、ネットワークまたはデバイス内の種々のコンポーネントと通信することができる。汎用プロセッサは、マイクロプロセッサであることができるが、代替として、プロセッサは、任意の従来のプロセッサ、コントローラ、または状態機械であることができる。プロセッサはまた、コンピューティングデバイス、例えば、ＤＳＰおよびマイクロプロセッサ、複数のマイクロプロセッサ、ＤＳＰコアと併せた１つ以上のマイクロプロセッサの組み合わせ、または本明細書に説明される機能を実施するための任意の他の好適な構成の組み合わせとして実装されることができる。
【００８７】
ソフトウェア内に実装される場合、機能は、１つ以上の命令またはコードとして、コンピュータ可読媒体上に記憶されることができる。したがって、本明細書に開示される方法またはアルゴリズムのステップは、コンピュータ可読媒体上に記憶されるソフトウェアとして実装されることができる。コンピュータ可読媒体は、コンピュータ記憶媒体および通信媒体の両方を含み、コンピュータプログラムまたはコードを１つの場所から別の場所に転送するように可能にされ得る、任意の媒体を含む。記憶媒体は、コンピュータによってアクセスされ得る、任意の利用可能な媒体であることができる。限定ではなく、一例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、または所望のプログラムコードを命令またはデータ構造の形態で記憶するために使用され得、かつコンピュータによってアクセスされ得る、任意の他の媒体を含むことができる。
【００８８】
本書では、用語「モジュール」は、本明細書で使用されるとき、ソフトウェア、ファームウェア、ハードウェア、および本明細書に説明される関連付けられた機能を実施するためのこれらの要素の任意の組み合わせを指す。加えて、議論の目的のために、種々のモジュールは、離散モジュールとして説明される。しかしながら、当業者に明白となるであろうように、２つ以上のモジュールが、組み合わせられ、本発明の実施形態に従って関連付けられた機能を実施する、単一モジュールを形成してもよい。
【００８９】
加えて、メモリまたは他の記憶装置および通信コンポーネントが、本発明の実施形態において採用されてもよい。明確にする目的のために、上記の説明は、異なる機能ユニットおよびプロセッサを参照して本発明の実施形態を説明していることを理解されたい。しかしながら、異なる機能ユニット、処理論理要素、またはドメイン間の機能性の任意の好適な分布が、本発明から逸脱することなく使用されてもよいことが明白であろう。例えば、別個の処理論理要素またはコントローラによって実施されるように例証される機能性は、同一処理論理要素またはコントローラによって実施されてもよい。故に、具体的機能ユニットの参照は、厳密な論理または物理構造または編成を示すのではなく、説明される機能性を提供するための好適な手段の参照にすぎない。
【００９０】
本開示に説明される実装の種々の修正が、当業者に容易に明白となり、本明細書に定義された一般的原理は、本開示の範囲から逸脱することなく、他の実装に適用されることができる。したがって、本開示は、本明細書に示される実装に限定されることを意図するものではなく、下記の請求項において列挙されるように、本明細書に開示される新規特徴および原理と一致する最も広い範囲と見なされるべきである。
【図１】
0006968263.tif 000017
【図２】
0006968263.tif 000018
【図３Ａ】
0006968263.tif 000019
【図３Ｂ】
0006968263.tif 000020
【図４Ａ】
0006968263.tif 000021
【図４Ｂ】
0006968263.tif 000022